(57)【特許請求の範囲】
【請求項１】
軒樋を固定するための軒樋用固定金具であって、
前記軒樋の水勾配を調整可能な下部の樋受部と、前記軒樋を固定するための上部の軒樋保持部とから成り、
更に前記樋受部は、前記軒樋を設置する箇所の下方に設けられた部材と嵌合可能な嵌合部を有するとともに、
前記樋受部は、幅細の板材を折り曲げることによって中央部分の下向きの凹部とその両側の突出片とが形成されていることを特徴とする軒樋用固定金具。
【請求項２】
前記軒樋保持部の端部は、折り曲げ変形により前記軒樋を固定可能とされていることを特徴とする請求項１に記載の軒樋用固定金具。
【請求項３】
前記樋受部の下向きの凹部は、前記軒樋が必要な水勾配を得るための高さを有することを特徴とする請求項１又は２に記載の軒樋用固定金具。
【請求項４】
請求項１乃至３のいずれか１項に記載の軒樋用固定金具を複数個用いて、前記軒樋が固定される軒樋固定構造であって、
前記下向きの凹部の高さが異なる前記軒樋用固定金具が、必要な水勾配に合わせて配置されていることを特徴とする軒樋固定構造。
【請求項５】
水平なパラペットの内部で、前記軒樋が固定されていることを特徴とする請求項４に記載の軒樋固定構造。
【請求項６】
前記パラペットの内部底面に前記樋受部の前記嵌合部と嵌合可能な嵌合部が設けられており、これら嵌合部同士の嵌合で、前記軒樋用固定金具が前記パラペットに固定されていることを特徴とする請求項５に記載の軒樋固定構造。
【請求項７】
請求項４乃至６のいずれか１項に記載の軒樋固定構造を備えていることを特徴とする建物。
【発明の詳細な説明】
【技術分野】
【０００１】
本発明は、軒樋を固定するための軒樋用固定金具、この軒樋用固定金具を用いた軒樋固定構造、及びこの軒樋固定構造を備えた建物に関するものである。
【背景技術】
【０００２】
従来から、軒樋を固定する技術は、多く提案され、実施に供されている（例えば特許文献１〜５等を参照）。
【先行技術文献】
【特許文献】
【０００３】
【特許文献１】特開２００８−１０１４４８号公報
【特許文献２】特開平１０−３３１３５８号公報
【特許文献３】実開平０４−１２３９３７号公報
【特許文献４】実開平０４−１２３９３５号公報
【特許文献５】特開昭５９−８５０６４号公報
【発明の概要】
【発明が解決しようとする課題】
【０００４】
しかしながら、上記した特許文献１〜５のような従来技術では、水平なパラペット内で軒樋に必要な水勾配を持たせるために、予め勾配を持たせるように製造した軒樋を用いなければならず、その分、コスト高となってしまうという問題があった。
【０００５】
そこで、本発明は、安価なまっすぐな軒樋を用いても、必要な水勾配を持たせることができ、その分、低コストで実施することができる、軒樋を固定するための軒樋用固定金具、この軒樋用固定金具を用いた軒樋固定構造、及びこの軒樋固定構造を備えた建物を提供することを目的としている。
【課題を解決するための手段】
【０００６】
前記目的を達成するために、本発明の軒樋用固定金具は、軒樋を固定するための軒樋用固定金具であって、前記軒樋の水勾配を調整可能な下部の樋受部と、前記軒樋を固定するための上部の軒樋保持部とから成り、更に前記樋受部は、前記軒樋を設置する箇所の下方に設けられた部材と嵌合可能な嵌合部を有することを特徴とする。
本発明の軒樋固定構造は、上記した本発明の軒樋用固定金具を複数個用いて、前記軒樋が固定されていることを特徴とする。  本発明の建物は、上記した本発明の軒樋固定構造を備えていることを特徴とする。
【発明の効果】
【０００７】
このような本発明の軒樋用固定金具は、上記した構成なので、安価なまっすぐな軒樋を用いても、必要な水勾配を持たせることができ、その分、低コストで実施することができる。また、軒樋が詰まって機能を果たさなくなった時などは、軒樋だけを交換すればよい。
このような本発明の軒樋固定構造は、上記した構成なので、上記した本発明の軒樋用固定金具の効果を奏する軒樋固定構造とすることができる。
このような本発明の建物は、上記した構成なので、上記した本発明の軒樋固定構造の効果を奏する建物とすることができる。
【図面の簡単な説明】
【０００８】
【図１】実施例の軒樋用固定金具の概略構成を示す説明図である。
【図２】実施例の軒樋固定構造の構築方法の工程を示す図である。
【図３】実施例の軒樋固定構造の構築方法の工程を示す図である。
【図４】実施例の軒樋固定構造の構築方法の工程を示す図である。
【図５】実施例の軒樋固定構造の構築方法の工程を示す図である。
【図６】実施例の軒樋固定構造を備えた建物の概略構成を示す説明図である。
【発明を実施するための形態】
【０００９】
以下、本発明を実施するための形態を、図面に示す実施例に基づいて説明する。
【実施例】
【００１０】
先ず、実施例の構成について説明する。
図１は、実施例の軒樋用固定金具１の概略構成を示している。
この軒樋用固定金具１は、下部の樋受部１１と、後述する軒樋２を固定するための上部の軒樋保持部１２とから主に構成されている。
【００１１】
下部の樋受部１１は、幅細の板材を矩形波状に折り曲げて形成されており、端部に嵌合部としての突出片１１ａ，１１ａが設けられており、折り曲げた中央部分に嵌合部としての下向きの凹部１１ｂが設けられている。また、折り曲げた部分により、高さｈを有するようになっている。
【００１２】
上部の軒樋保持部１２は、軒樋２の底面を支持する水平部１２ａと、側面を保持する立上部１２ｂ，１２ｂとから成り、立上部１２ｂ，１２ｂの上端部は、折り曲げ変形が可能とされている。
そして、下部の樋受部１１と上部の軒樋保持部１２とは、固定手段としてのリベット１３，１３により固定され、一体化されている。
【００１３】
次に、この実施例の軒樋用固定金具１を用いた実施例の軒樋固定構造の構築方法について説明する。
図２に示したように、軒樋２を固定するには、複数個の軒樋用固定金具１，・・・を用いる。
【００１４】
まず、建物Ｂの軒部に片持ち支持されて設けられる後述する水平なパラペット３の下側の水平部分を構成するブラケット３１の端部からブラケット３１側の嵌合部としての水平凹部３１ａ，３１ａに突出片１１ａ，１１ａを嵌め合わせ、ガイドレール３１ｂに下向きの凹部１１ｂを嵌め合わせて、スライドさせ、ブラケット３１の上側に、後側が水上側、手前側が水下側となるように、複数個の軒樋用固定金具１，・・・を所要の間隔で配置させる。
すなわち、複数個の軒樋用固定金具１，・・・の樋受部１１のそれぞれの高さｈは、軒樋２が必要な水勾配に調整されるように異なる高さとなっている。
【００１５】
そして、図３に示したように、固定手段としてのリベット４，・・・により、複数個の軒樋用固定金具１，・・・の樋受部１１の孔１１ｃとブラケット３１の対応する位置に設けた孔３１ｃと、パラペット３のカバー３２に設けた図示省略の孔とを固定して、軒樋用固定金具１，・・・の横ズレを防止するとともに、カバー３２を取り付けてパラペット３を組み立てる。それとともに、複数個の軒樋用固定金具１，・・・の軒樋保持部１２内に軒樋２を落とし込む。
【００１６】
最後に、図４及び図５に示したように、水下側から水上側にわたって、複数個の軒樋用固定金具１，・・・の軒樋保持部１２の立上部１２ｂ，１２ｂの上端を内側に折り曲げて、軒樋２を保持する。
こうして、図６に示したように、庇化粧部材である水平なパラペット３の内部に傾斜した軒樋２が設置された建物Ｂが仕上がる。
【００１７】
なお、軒樋２の水下側には、縦樋５が接続されており、屋根から流れてきて軒樋２に溜まった雨水は、この縦樋５から図示省略の下水へと排水される。
また、万一、軒樋２が詰まって機能を果たさなくなった時などは、軒樋２だけを交換すればよい。
【００１８】
次に、実施例の作用効果について説明する。
このような実施例の軒樋用固定金具１は、軒樋２を固定するための軒樋用固定金具であって、軒樋２の水勾配を調整可能な下部の樋受部１１と、軒樋２を固定するための上部の軒樋保持部１２とから成り、更に樋受部１１は、軒樋２を設置する箇所の下方に設けられた部材としてのパラペット３のブラケット３１と嵌合可能な嵌合部としての突出片１１ａ，１１ａ、下向きの凹部１１ｂを有する構成とされている。
【００１９】
上記した構成なので、安価なまっすぐな軒樋２を用いても、必要な水勾配を持たせることができ、その分、低コストで実施することができる。また、軒樋２が詰まって機能を果たさなくなった時などは、軒樋２だけを交換すればよい。
【００２０】
ここで、軒樋保持部１２の端部は、折り曲げ変形により軒樋２を固定可能とされている。
このため、軒樋保持部１２で、軒樋２を簡易に固定することができる。
【００２１】
また、樋受部１１は、軒樋２が必要な水勾配を得るための高さｈを有する。
このため、異なる高さの樋受部１１を有する複数個の軒樋用固定金具１，・・・を用いれば、軒樋２が必要な水勾配を得ることができるので、簡易に実施することができる。
【００２２】
このような実施例の軒樋固定構造は、上記した実施例の軒樋用固定金具１を複数個用いて、軒樋２が固定された構成とされている。
上記した構成なので、上記した実施例の軒樋用固定金具１の作用効果を奏する軒樋固定構造とすることができる。
【００２３】
ここで、水平なパラペット３の内部で、軒樋２が固定されている。
このため、傾斜した軒樋２が水平なパラペット３で隠蔽されるので、建物Ｂの意匠的外観を良くすることができる。
【００２４】
また、パラペット３の内部底面に樋受部１１の嵌合部としての突出片１１ａ，１１ａ、下向きの凹部１１ｂと嵌合可能な嵌合部としての水平凹部３１ａ，３１ａ、ガイドレール３１ｂが設けられており、これら嵌合部同士の嵌合で、軒樋用固定金具１，・・・がパラペット３に固定されている。
このため、軒樋２をパラペット３の内部に容易に固定することができる。
【００２５】
このような実施例の建物Ｂは、上記した実施例の軒樋固定構造を備えた構成とされている。  上記した構成なので、上記した実施例の軒樋固定構造の作用効果を奏する建物とすることができる。
【００２６】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【符号の説明】
【００２７】
１      軒樋用固定金具
１１    樋受部
１１ａ  突出片（嵌合部）
１１ｂ  下向きの凹部（嵌合部）
１１ｃ  孔
１２    軒樋保持部
１２ａ  水平部
１２ｂ  立上部
１３    リベット（固定手段）
２      軒樋
３      パラペット
３１    ブラケット
３１ａ  水平凹部（嵌合部）
３１ｂ  ガイドレール（嵌合部）
３１ｃ  孔
３２    カバー
４      リベット（固定手段）
５      縦樋
Ｂ      建物
【図１】
0006666698.tif 000002
【図２】
0006666698.tif 000003
【図３】
0006666698.tif 000004
【図４】
0006666698.tif 000005
【図５】
0006666698.tif 000006
【図６】
0006666698.tif 000007